(57)【要約】【課題】店頭での展示等に際し、容易に開封することができ、物流過程での積上荷重等による美観の低下が生じにくい包装箱を提供する。【解決手段】天面板１、背面板２、底面板３及び前面板４が商品を包み込み、背側フラップ８、前側フラップ９、天側フラップ６及び底側フラップ７が側面へ折り曲げられて、底側フラップ７と背側フラップ８及び前側フラップ９とが接着されると共に、天側フラップ６と前側フラップ９とが接着され、前側フラップ９の外側に底側フラップ７が重なっている包装箱において、両側面の前側フラップ９には、底側フラップ７が重なる領域内で、前面板４との境界へ向かう破断線１３を入れ、前面板４には、破断線１３から連続して破断線１４を入れ、開封に際しては、破断線１３，１４を破断させ、前面板４の破断線１４を軸に、下方のトレイ部分Ａに対して上方の蓋部分Ｂを回転させるものとする。【選択図】図３
2019094070.tif 000002
【特許請求の範囲】
【請求項１】
天面板(1)、背面板(2)、底面板(3)及び前面板(4)を備え、少なくとも背面板(2)、底面板(3)及び前面板(4)が連なっており、天面板(1)及び底面板(3)の両側にそれぞれ天側フラップ(6)及び底側フラップ(7)が連設されると共に、背面板(2)及び前面板(4)の両側にそれぞれ背側フラップ(8)及び前側フラップ(9)が連設され、
天面板(1)、背面板(2)、底面板(3)及び前面板(4)が商品を包み込むように配置され、背側フラップ(8)及び前側フラップ(9)が側面へ折り曲げられ、天側フラップ(6)及び底側フラップ(7)が側面へ折り曲げられて、底側フラップ(7)と背側フラップ(8)及び前側フラップ(9)とが接着されると共に、天側フラップ(6)と前側フラップ(9)とが接着され、前側フラップ(9)の外側に底側フラップ(7)が重なっている包装箱において、
天面板(1)から背面板(2)にかけての領域のいずれかの部分に開封開始部(10)が設けられると共に、開封開始部(10)から両側面の端縁へ向かう破断線(11)が入れられ、
両側面の前側フラップ(9)には、天側フラップ(6)又は底側フラップ(7)が重なる領域内で、前面板(4)との境界へ向かう破断線(13)が入れられ、
前面板(4)には、両側面の前側フラップ(9)の破断線(13)から連続して破断線(14)が入れられており、
開封に際しては、開封開始部(10)から引っ張って、その両側の破断線(11)及び前側フラップ(9)の破断線(13)を破断させ、前面板(4)の破断線(14)を軸に、下方のトレイ部分(A)に対して上方の蓋部分(B)を回転させ、前面板(4)の破断線(14)を破断させて、蓋部分(B)を除去することを特徴とする包装箱。
【請求項２】
天面板(1)、背面板(2)、底面板(3)及び前面板(4)を備え、少なくとも背面板(2)、底面板(3)及び前面板(4)が連なっており、天面板(1)及び底面板(3)の両側にそれぞれ天側フラップ(6)及び底側フラップ(7)が連設されると共に、背面板(2)及び前面板(4)の両側にそれぞれ背側フラップ(8)及び前側フラップ(9)が連設され、
天面板(1)、背面板(2)、底面板(3)及び前面板(4)が商品を包み込むように配置され、背側フラップ(8)及び前側フラップ(9)が側面へ折り曲げられ、天側フラップ(6)及び底側フラップ(7)が側面へ折り曲げられて、底側フラップ(7)と背側フラップ(8)及び前側フラップ(9)とが接着されると共に、天側フラップ(6)と前側フラップ(9)とが接着され、前側フラップ(9)の外側に底側フラップ(7)が重なっている包装箱において、
両側面の前側フラップ(9)には、天側フラップ(6)又は底側フラップ(7)が重なる領域内で、前面板(4)との境界へ向かう破断線(13)が入れられ、
前面板(4)には、両側面の前側フラップ(9)の破断線(13)から連続して破断線(14)が入れられており、
開封に際しては、天面板(1)の端縁から引っ張って、前側フラップ(9)の破断線(13)を破断させ、前面板(4)の破断線(14)を軸に、下方のトレイ部分(A)に対して上方の蓋部分(B)を回転させ、前面板(4)の破断線(14)を破断させて、蓋部分(B)を除去することを特徴とする包装箱。
【請求項３】
請求項１又は２に記載の包装箱において、前側フラップ(9)の破断線(13)は、前面板(4)との境界側へ向かって下方へ傾斜していることを特徴とする包装箱。
【請求項４】
請求項１から３のいずれかに記載の包装箱において、両側面の前側フラップ(9)には、天側フラップ(6)又は底側フラップ(7)が重なる領域内で、背側フラップ(8)に向き合う端縁に切欠部(12)が形成され、この切欠部(12)から連続して前面板(4)との境界へ向かう破断線(13)が入れられていることを特徴とする包装箱。
【請求項５】
請求項１から４のいずれかに記載の包装箱において、前面板(4)の破断線(14)は、両側面の前側フラップ(9)との境界から下方へ向かう傾斜部(14a)と、両側の傾斜部(14a)間に挟まれたヒンジ部(14b)とを有し、
開封に際しては、前側フラップ(9)の破断線(13)を破断させると共に、前面板(4)の破断線(14)の傾斜部(14a)を破断させ、前面板(4)の破断線(14)のヒンジ部(14b)を軸に、下方のトレイ部分(A)に対して上方の蓋部分(B)を回転させ、ヒンジ部(14b)を破断させて、蓋部分(B)を除去することを特徴とする包装箱。
【請求項６】
請求項１に記載の包装箱において、開封開始部(10)から両側面の端縁へ向かう破断線(11)は、天面板(1)と背面板(2)の境界に沿って両側の上端角部へ達することを特徴とする包装箱。
【請求項７】
請求項１から６のいずれかに記載の包装箱において、天側フラップ(6)は、背側フラップ(8)に重なる部分の下端縁が背面側へかけて上方へ斜めに切断された傾斜縁(6a)となっていることを特徴とする包装箱。
【請求項８】
請求項１又は６に記載の包装箱において、開封開始部(10)の両側の破断線(11)の外端部付近から引張方向へ向かって斜め内側に延びるように、開封補助線(15)が入れられていることを特徴とする包装箱。
【発明の詳細な説明】
【技術分野】
【０００１】
この発明は、破断線に沿って破断することにより開封し、包装した商品の展示や取り出しを行う包装箱に関するものである。
【背景技術】
【０００２】
近年、流通業界において、商品を収納したままの状態で展示できる包装箱が要求されている。このような要求に応える包装箱として、下記特許文献１には、図６に示すようなものが記載されている。
【０００３】
この包装箱は、天面板５１に前面板５２が連設されると共に、背面板５３に底面板５４及び前受板５５が順次連設され、天面板５１及び前面板５２の両側にそれぞれ連なる天側フラップ５６及び前側フラップ５７と、背面板５３及び底面板５４の両側にそれぞれ連なる背側フラップ５８及び底側フラップ５９とを備え、底側フラップ５９の前端に連結片６０が連設された構成となっている。
【０００４】
そして、開封前の状態では、天面板５１と背面板５３とが境界中央部付近に位置する逆台形状の開封開始部６１の輪郭をなす破断線及びその両側から上角部へ延びる破断線６２を介して繋がっている。
【０００５】
また、前受板５５には、先端縁の中央部付近から下方へ区画を形成するようにミシン目状の破断線６３が入れられ、その内側領域が逆台形状の切取部６４とされている。
【０００６】
この包装箱の組み立てに際しては、専用のケーサーを使用して、底面板５４から前受板５５、一対の底側フラップ５９及び背面板５３を起立させ、連結片６０を前受板５５に接着部６５で接着して、前受板５５と底側フラップ５９とを連結すると共に、背側フラップ５８を前方へ折り曲げ、背側フラップ５８と底側フラップ５９とを接着部６６で接着してトレイ部分Ａ１を形成し、トレイ部分Ａ１の内部に商品を収容する。
【０００７】
次に、背面板５３から天面板５１を前方へ、天面板５１から前面板５２を下方へ順次折り曲げ、前面板５２から前側フラップ５７を後方へ折り曲げ、天面板５１から天側フラップ５６を下方へ折り曲げて、背側フラップ５８と天側フラップ５６とは接着せず、前側フラップ５７と天側フラップ５６とを接着部６７で接着し、蓋部分Ｂ１を形成する。
【０００８】
そして、前受板５５と前面板５２とを切取部６４の領域内の接着部６７で接着することにより、トレイ部分Ａ１と蓋部分Ｂ１とが固定された封緘状態とする。
【０００９】
また、商品が重量物である場合には、底側フラップ５９と前側フラップ５７とを、接着力を抑制するニスが下塗りされた部分を介して接着部６８で接着する。
【００１０】
一方、店頭での商品の展示に際しては、開封開始部６１を押し込んで指を入れ、天面板５１の後部を引き上げるように手前に引っ張り、破断線６２を破断させる。これに伴い、切取部６４を前面板５２に貼り付いた状態で前受板５５から切り取られて、トレイ部分Ａ１と蓋部分Ｂ１とが分離されるので、トレイ部分Ａ１から蓋部分Ｂ１を除去して、商品を露出させることができる。
【００１１】
また、下記特許文献２には、図７に示すようなラップラウンド式の包装箱が記載されている。この包装箱は、順次連設された天面板７１、背面板７２、底面板７３及び前面板７４を有し、天面板７１及び底面板７３の両側にそれぞれ連なる天側フラップ７５及び底側フラップ７６と、背面板７２及び前面板７４の両側にそれぞれ連なる背側フラップ７７及び前側フラップ７８とを備えている。そして、天面板７１、背面板７２、底面板７３及び前面板７４が商品を包み込むように折り曲げられ、その一端の継代７９が他端部に接着されて、背側フラップ７７及び前側フラップ７８が側面へ折り曲げられ、その外側に重なるように天側フラップ７５及び底側フラップ７６が折り曲げられて接着される。
【００１２】
天面板７１には、中央部に切込による一対の開封開始部８０が設けられ、開封開始部８０から両側面へかけてＳ字状に湾曲した破断線８１が入れられている。破断線８１は、鉤状の切目が断続するジッパー形式とされている。
【００１３】
天側フラップ７５には、天面板７１の破断線８１から連続して垂直方向の破断線８２が入れられ、前側フラップ７８には、天側フラップ７５と底側フラップ７６の間に位置する水平方向の破断線８３が入れられている。背面板７２には、両側上端から内側へ向かって斜め下方に傾斜し、中間部が水平となった破断線８４が入れられ、前面板７４には、前側フラップ７８の破断線８３に連続して水平方向に延びる破断線８５が入れられている。
【００１４】
このような包装箱は、押し込んだ開封開始部８０に指を掛け、天面板７１を相反する方向に捻って旋回させることにより、破断線８１，８２，８３を破断させ、さらに、破断線８４，８５を破断させると、トレイ部分Ａ２と一対の蓋部分Ｂ２とに分離し、トレイ部分Ａ２から蓋部分Ｂ２を除去して、商品を露出させることができる。
【先行技術文献】
【特許文献】
【００１５】
【特許文献１】特開２０１５−１０７８３１号公報
【特許文献２】特開２０１５−１１０４４６号公報
【発明の概要】
【発明が解決しようとする課題】
【００１６】
ところで、上記特許文献１に記載された包装箱は、破断線６２を容易に破断して開封できるが、商品を収容して封緘する際、専用のケーサーが必要となるほか、構造上用途が限定され、汎用性に欠けるという問題がある。
【００１７】
また、上記特許文献２に記載された包装箱は、商品の包装に際し、一般的なラップラウンドケーサーを使用して組み立てることができるが、開封時に破断線８２，８３を同時に破断することが難しく、物流過程で垂直方向に大きな積上荷重が作用した場合、水平方向の破断線８３に沿って座屈が生じて、美観が損なわれやすいという問題もある。
【００１８】
そこで、この発明は、店頭での展示等に際し、容易に開封することができ、物流過程での積上荷重等による美観の低下が生じにくい包装箱を提供しようとするものである。
【課題を解決するための手段】
【００１９】
上記課題を解決するため、この発明は、天面板、背面板、底面板及び前面板を備え、少なくとも背面板、底面板及び前面板が連なっており、天面板及び底面板の両側にそれぞれ天側フラップ及び底側フラップが連設されると共に、背面板及び前面板の両側にそれぞれ背側フラップ及び前側フラップが連設され、
天面板、背面板、底面板及び前面板が商品を包み込むように配置され、背側フラップ及び前側フラップが側面へ折り曲げられ、天側フラップ及び底側フラップが側面へ折り曲げられて、底側フラップと背側フラップ及び前側フラップとが接着されると共に、天側フラップと前側フラップとが接着され、前側フラップの外側に底側フラップが重なっている包装箱において、
天面板から背面板にかけての領域のいずれかの部分に開封開始部が設けられると共に、開封開始部から両側面の端縁へ向かう破断線が入れられ、
両側面の前側フラップには、天側フラップ又は底側フラップが重なる領域内で、前面板との境界へ向かう破断線が入れられ、
前面板には、両側面の前側フラップの破断線から連続して破断線が入れられており、
開封に際しては、開封開始部から引っ張って、その両側の破断線及び前側フラップの破断線を破断させ、前面板の破断線を軸に、下方のトレイ部分に対して上方の蓋部分を回転させ、前面板の破断線を破断させて、蓋部分を除去するものとしたのである。
【００２０】
また、天面板の端縁に手を掛けて開封する包装箱においては、上記構成から開封開始部とその両側から両側面の端縁へ向かう破断線を省略したものとしたのである。
【００２１】
また、開封性向上のため、前側フラップの破断線は、前面板との境界側へ向かって下方へ傾斜しているものとしたのである。
【００２２】
さらに、両側面の前側フラップには、天側フラップ又は底側フラップが重なる領域内で背側フラップに向き合う端縁に、切欠部が形成されたものとしたのである。
【００２３】
また、前面板の破断線は、両側面の前側フラップとの境界から下方へ向かう傾斜部と、両側の傾斜部間に挟まれたヒンジ部とを有し、
開封に際しては、前側フラップの破断線を破断させると共に、前面板の破断線の傾斜部を破断させ、前面板の破断線のヒンジ部を軸に、下方のトレイ部分に対して上方の蓋部分を回転させ、ヒンジ部を破断させて、蓋部分を除去するものとしたのである。
【００２４】
また、開封開始部から両側面の端縁へ向かう破断線は、天面板と背面板の境界に沿って両側の上端角部へ達するものとし、破断線を天側フラップや背側フラップに回り込むように入れることなく開封できるようにして、強度の低下を抑制したのである。
【００２５】
また、天側フラップは、背側フラップに重なる部分の下端縁が背面側へかけて上方へ斜めに切断された傾斜縁となっているものとし、封緘時に天側フラップが背側フラップに接着されていなくても、天側フラップが背側フラップから浮き上がらず、かつ、開封時の天側フラップと背側フラップの摩擦が軽減されるようにしたのである。
【００２６】
また、開封開始部の両側の破断線の外端部付近から引張方向へ向かって斜め内側に延びるように、開封補助線が入れられているものとし、開封に際して、開封開始部から引っ張ると、開封補助線に沿ってその近傍が盛り上がるように撓んで、開封開始部の両側の破断線に破断方向の力が効率的に作用するようにしたのである。
【発明の効果】
【００２７】
この発明に係る包装箱では、組立状態で側面に位置する前側フラップの破断線の外側に底側フラップが重なっているので、物流過程で大きな積上荷重が作用しても、側面の破断線に沿って座屈が生じにくく、美観が維持される。
【００２８】
また、両側面の前側フラップに切欠部を設け、この切欠部に連続する前側フラップの破断線を傾斜させ、前面板の破断線に傾斜部とヒンジ部とを設けておくと、開封する際、前側フラップの切欠部から破断線へ破断が誘導され、前側フラップの破断線の傾斜及び前面板の破断線の傾斜部の存在により、ヒンジ部を軸とする蓋部分の回転に伴って、破断方向の力がこれらの破断線に効率的に作用する。
【００２９】
そして、前面板の破断線を一度に破断させることなく、両側の傾斜部よりヒンジ部を後に破断させるので、瞬時にあまり強く引っ張らなくても、段階的に開封することができ、店頭での展示作業の負荷が軽減される。
【図面の簡単な説明】
【００３０】
【図１】この発明の実施形態に係る包装箱のブランクを示す図
【図２】同上の包装箱の封緘状態を示す図
【図３】同上の開封過程を示す斜視図
【図４】同上の開封状態を示す斜視図
【図５】同上の変形例の封緘状態を示す斜視図
【図６】特許文献１に記載の包装箱の開封過程を示す斜視図
【図７】特許文献２に記載の包装箱の開封過程を示す斜視図
【発明を実施するための形態】
【００３１】
以下、この発明の実施形態を添付図面に基づいて説明する。
【００３２】
この包装箱は、ラップラウンド式の段ボール箱であり、図１に示すようなブランクから組み立てられ、図２に示すように、牛乳等の飲料入り紙パックＰを多数本（図示のものでは１２本）纏めて包装するものである。
【００３３】
このブランクでは、天面板１、背面板２、底面板３及び前面板４が順次連設され、天面板１の背面板２とは反対側に継代５が連設され、天面板１の中間部に検品及び冷気導入用の窓１ａが設けられている。天面板１及び底面板３の両側には、それぞれ天側フラップ６及び底側フラップ７が連設され、背面板２及び前面板４の両側には、それぞれ背側フラップ８及び前側フラップ９が連設されている。
【００３４】
なお、天面板１、背面板２、底面板３及び前面板４は、組立時に角筒状に折り曲げたとき、いずれの稜部で継代５により接合される構成であってもよい。
【００３５】
天面板１と背面板２の境界の中央部付近には、背面板２へかけて破断線が入れられ、その内側領域が逆台形状の開封開始部１０とされている。開封開始部１０の輪郭の両側辺の破断線は、鉤状の切目が断続するジッパー型とされている。
【００３６】
そして、開封開始部１０の両端を起点として、天面板１と背面板２の境界に沿って、天側フラップ６と背側フラップ８の間の溝底部に達するように、破断線１１が入れられている。破断線１１は、鉤状の切目が断続するジッパー型とされている。
【００３７】
両側の前側フラップ９には、組立時に底側フラップ７が重なる領域内で、背側フラップ８に向き合う端縁に奥へ向かって幅が狭くなる三角状の切欠部１２が形成され、切欠部１２から連続して前面板４との境界へ向かう破断線１３が入れられている。破断線１３は、前面板４との境界側へ向かって組立時に下方となる方向へ傾斜しており、鉤状の切目が断続するジッパー型とされている。
【００３８】
なお、破断線１３は、全体的に傾斜したものを例示しているが、水平部分と組み合わされて、一部分のみが傾斜しているものとしてもよい。
【００３９】
前面板４には、両側の前側フラップ９の破断線１３から連続して破断線１４が入れられており、破断線１４は、組立時に前側フラップ９から下方となる底面板３側へ傾斜する傾斜部１４ａと、その間に挟まれて底面板３との境界に平行するヒンジ部１４ｂとから構成されている。傾斜部１４ａは、鉤状の切目が断続するジッパー型とされ、ヒンジ部１４ｂは、押罫と切目が断続するものとされている。
【００４０】
また、天側フラップ６の組立時に背側フラップ８に重なる部分の下端縁は、背面側へかけて上方へ斜めに切断された傾斜縁６ａとされている。
【００４１】
また、天面板１には、開封開始部１０の両側の破断線１１の外端部付近から引張方向へ向かって斜め内側に延びる開封補助線１５が入れられている。開封補助線１５は、段ボールを裏面側から押圧した押罫とされている。
【００４２】
このブランクにおいて、組立時における側面形成のためホットメルト接着剤を塗布する位置は、底側フラップ７の裏面の背側及び前側寄りとなる接着部１６，１７と、天側フラップ６の裏面の前側寄りとなる接着部１８とされている。
【００４３】
上記のようなブランクを組み立てて商品を包装する際には、図２に示すように、天面板１、背面板２、底面板３及び前面板４を角筒状に折り曲げて、商品の多数本の紙パックＰを包み込み、継代５を下方へ折り曲げて前面板４の上部に接着する。これにより、多数本の紙パックＰは、締め付けられるように保持される。
【００４４】
次に、背側フラップ８及び前側フラップ９を側面へ折り曲げ、その外側に重なるように天側フラップ６及び底側フラップ７を側面へ折り曲げて、底側フラップ７と背側フラップ８及び前側フラップ９とを接着部１６，１７で接着すると共に、天側フラップ６と前側フラップ９とを接着部１８で接着する。
【００４５】
このように組み立てた封緘状態では、背面板２、底面板３及び前面板４の破断線１４より下方部分と、底側フラップ７、背側フラップ８及び前側フラップ９の破断線１３より下方部分とがトレイ部分Ａを構成し、天面板１及び前面板４の破断線１４より上方部分と、天側フラップ６及び前側フラップ９の破断線１３より上方部分とが蓋部分Ｂを構成する。開封開始部１０は、蓋部分Ｂに付属するものとなる。
【００４６】
このような組立工程は、汎用のラップラウンドケーサーで行うことができ、専用の製函設備を導入する必要はない。
【００４７】
また、開封開始部１０が天面板１と背面板２の境界中央部に臨み、その両側の破断線１１が天面板１と背面板２の境界に沿って延びているので、破断線１１を天側フラップ６又は背側フラップ８に回り込むように入れる必要がなく、物流過程での積上荷重や落下等に対する強度の低下が抑制される。
【００４８】
また、物流過程で大きな積上荷重が作用しても、側面に位置する前側フラップ９の破断線１３が傾斜しているので、前側フラップ９が垂直荷重に対して折れ曲がりにくく、さらに、破断線１３の外側に底側フラップ７が重なっているので、前側フラップ９の外側への膨らみが底側フラップ７で抑制され、破断線１３に沿って座屈が生じにくい。
【００４９】
そのほか、天側フラップ６の下端縁が傾斜縁６ａとされているので、天側フラップ６が背側フラップ８に接着されていなくても、天側フラップ６の背側フラップ８からの浮き上がりや捲れ上がりが防止され、美観が維持される。
【００５０】
一方、店頭で展示するための開封に際しては、図３に示すように、開封開始部１０を押し込んで指を入れ、天面板１の後部を引き上げるように手前に引っ張って、破断線１１，１３を破断させ、続いて、前面板４の破断線１４の傾斜部１４ａを破断させる。そして、これに伴い、破断線１４のヒンジ部１４ｂを軸に、下方のトレイ部分Ａに対して上方の蓋部分Ｂを手前に回転させる。
【００５１】
このとき、天面板１の後部が開封開始部１０からの引き上げに伴い、開封補助線１５に沿って盛り上がるように撓むので、開封開始部１０の両側の破断線１１に破断方向の力が効率的に作用し、破断線１１を容易に破断させることができる。
【００５２】
また、前側フラップ９の切欠部１２から傾斜した破断線１３へ破断が誘導され、ヒンジ部１４ｂを軸とする蓋部分Ｂの回転に伴って、前側フラップ９の破断線１３及び前面板４の破断線１４の傾斜部１４ａに破断方向の力が効率的に作用し、稜部を挟んだ破断線１３及び破断線１４の傾斜部１４ａが連続的に破断する。
【００５３】
また、封緘状態で天側フラップ６と背側フラップ８とが接着されていないので、破断線１１，１３及び破断線１４の傾斜部１４ａを容易に破断させて、蓋部分Ｂをヒンジ部１４ｂを軸に回転させることができる。
【００５４】
また、天側フラップ６の下端縁が傾斜縁６ａとなるように斜めに切断されているので、蓋部分Ｂの回転に際し、天側フラップ６と背側フラップ８の摩擦が軽減される。
【００５５】
その後、破断線１４のヒンジ部１４ｂを破断させ、蓋部分Ｂを除去すると、図４に示すように、残存したトレイ部分Ａは、天面から前面にかけて大きく開口し、トレイ部分Ａから多数本の紙パックＰを見やすいように露出させた状態で展示できる。また、商品を購入しようとする消費者は、紙パックＰを容易に取り出すことができる。
【００５６】
また、この展示状態では、背面板２及び背側フラップ８が上端まで残存した状態で、紙パックＰの後方に起立しているので、前部に位置する紙パックＰが取り出されたとき、後部に位置する紙パックＰがぐらついて、後方や側方へ転倒する現象が防止される。
【００５７】
そして、上記開封に際しては、前面板４の破断線１４を一度に破断させることなく、両側の傾斜部１４ａよりヒンジ部１４ｂを後に破断させるので、瞬時にあまり強く引っ張らなくても、段階的に開封することができ、店頭での展示作業の負荷が軽減される。
【００５８】
また、開封後は、ほぼ同じ大きさのトレイ部分Ａと蓋部分Ｂに分離されるので、接着部１６，１７，１８での接着を剥がし、トレイ部分Ａと蓋部分Ｂとを偏平に解体して、容易に廃棄することができる。
【００５９】
なお、上記実施形態では、封緘状態で背側フラップ８と前側フラップ９の先端縁同士が突き合わされて、側面が完全に閉止されるものを例示したが、商品の性質や包装コスト等を考慮の上、図５に示すように、背側フラップ８及び前側フラップ９の寸法を短く設定して、背側フラップ８と前側フラップ９の先端縁間に隙間が開くようにしてもよい。
【００６０】
また、背側フラップ８と前側フラップ９の対向する端縁に手入切欠１９を設け、天側フラップ６の寸法を短く設定し、手入切欠１９に臨む天側フラップ６の端縁中間部に、運搬時に手を掛けると折り曲げられて、段ボールの端縁に指が当たらないようにするための把持片１９ａを設けるようにしてもよい。
【００６１】
また、強度の劣化があまり問題とされない場合には、開封開始部１０は、天面板１から背面板２にかけての領域のいずれかの部分に設けられていればよく、破断線１１は、天側フラップ６又は背側フラップ８を経て、その端縁に向かうようにしてもよい。
【００６２】
また、前側フラップ９の破断線１３は、底側フラップ７が重なる領域内ではなく、天側フラップ６が重なる領域内に入れられたものとしてもよい。
【００６３】
また、上記実施形態では、ラップラウンド式の包装箱を例示したが、天面板１及びその両側の天側フラップ６と、背面板２、底面板３及び前面板４並びにその両側の背側フラップ８、底側フラップ７及び前側フラップ９とが別体とされ、組立時に天側フラップ６が前側フラップ９に貼り付けられて、一体化されるトレイリッダー式の構成としてもよい。
【００６４】
また、天面板１の開放側の端縁に手を掛けて開封するものや、天面板１が背面板２に連なるものと前面板４に連なるものとに分割され、その分割部に臨む端縁手を掛けて開封するものとしてもよい。この場合、継代５のほか、開封開始部１０とその両側から両側面の端縁へ向かう破断線１１を省略することができる。
【符号の説明】
【００６５】
１  天面板
１ａ  窓
２  背面板
３  底面板
４  前面板
５  継代
６  天側フラップ
６ａ  傾斜縁
７  底側フラップ
８  背側フラップ
９  前側フラップ
１０  開封開始部
１１  破断線
１２  切欠部
１３，１４  破断線
１４ａ  傾斜部
１４ｂ  ヒンジ部
１５  開封補助線
１６，１７，１８  接着部
１９  手入切欠
１９ａ  把持片１９ａ
Ａ  トレイ部分
Ｂ  蓋部分
Ｐ  紙パック
【図１】
2019094070.tif 000003
【図２】
2019094070.tif 000004
【図３】
2019094070.tif 000005
【図４】
2019094070.tif 000006
【図５】
2019094070.tif 000007
【図６】
2019094070.tif 000008
【図７】
2019094070.tif 000009